(57)【要約】【課題】折り返し閉封片の糊付けの忘れを防止すると共に、糊付け不足であっても確実に封印でき、しかも配達途中での開封を防止して安全性を向上させた封筒を提供するものである。【解決手段】封筒１の上部開口部５の裏面４を延出して、台形状の折り返し閉封片６を形成して成り、前記開口部５から手紙を挿入して、前記折り返し閉封片６を封筒１の正面２に折り返して接着し、折り返し閉封片６の縁部と封筒１の正面２にまたがるように切手１１を貼付するようにしたものである。【選択図】  図３
0003123999.tif 000002
【実用新案登録請求の範囲】
【請求項１】
封筒の開口部の裏面を延出して、折り返し閉封片を形成して成り、前記開口部から手紙を挿入して、前記折り返し閉封片を封筒の正面に折り返して接着し、折り返し閉封片の縁部と封筒の正面にまたがるように切手を貼付するようにしたことを特徴とする封筒。
【請求項２】
折り返し閉封片の裏面に郵便番号記載枠を印刷したことを特徴とする請求項１記載の封筒。
【請求項３】
折り返し閉封片の縁部と封筒の正面にまたがるように四角形の切手貼付枠を印刷したことを特徴とする請求項１または２記載の封筒。
【考案の詳細な説明】
【技術分野】
【０００１】
本考案は、封印を確実にした封筒に関するものである。
【背景技術】
【０００２】
通常の封筒は、あて先記載部となる封筒の表面の開口部を、台形状に上方に延出して折り返し閉封片を形成し、この下部に郵便番号記載枠を印刷したものが使用されている。この従来の封筒は、手紙を開口部から挿入して、折り返し閉封片を封筒の裏面側に折り返して接着剤で接着し、封筒の表面にあて先を記載すると共に、封筒の表面の上部左側に切手を貼付し、封筒裏面に差出人の住所を記載して投函している。
【０００３】
しかしながら、折り返し閉封片を封筒の裏面側に折り返したままで糊付を忘れたり、糊付が不十分であったりすると、配達の途中で内部の手紙が開口部から外に出てしまうことがある。また受取人は、封印した折り返し閉封片に注意を払うことが少ないので、他人が折り返し閉封片を開封して、秘密に内部の手紙を読んだり、抜き取ってから再び糊付けしても分らないことがある。特に治安の悪い外国に送るエアーメール封筒では、配達の途中で開封される恐れがあった。
【考案の開示】
【考案が解決しようとする課題】
【０００４】
本考案は上記問題を改善し、折り返し閉封片の糊付けの忘れを防止すると共に、糊付け不足であっても確実に封印でき、しかも配達途中での開封を防止して安全性を向上させた封筒を提供するものである。
【課題を解決するための手段】
【０００５】
本考案の請求項１記載の封筒は、封筒の開口部の裏面を延出して、折り返し閉封片を形成して成り、前記開口部から手紙を挿入して、前記折り返し閉封片を封筒の正面に折り返して接着し、折り返し閉封片の縁部と封筒の正面にまたがるように切手を貼付するようにしたことを特徴とするものである。
【０００６】
本考案の請求項２記載の封筒は、折り返し閉封片の裏面に郵便番号記載枠を印刷したことを特徴とするものである。更に本考案の請求項３記載の封筒は、折り返し閉封片の縁部と封筒の正面にまたがるように四角形の切手貼付枠を印刷したことを特徴とするものである。
【考案の効果】
【０００７】
本考案に係る請求項１記載の封筒によれば、折り返し閉封片が正面にくるので、糊の付け忘れを防止できる。また糊付が不十分であっても折り返し閉封片の縁部と正面にまたがるように切手を貼付するので、封緘シールの役割も果たし確実に閉封することができ、他人が秘密に開封しても証拠が残るので、開封の防止に効果的である。
【０００８】
また請求項２記載の封筒によれば、折り返し閉封片の裏面に郵便番号記載枠を印刷したので、正面側に折り返した時に、所定の位置に郵便番号記載枠が形成される。
【０００９】
また請求項３記載の封筒によれば、折り返し閉封片の縁部と封筒の正面にまたがるように四角形の切手貼付枠を印刷したので、初めて使用する人でも、確実に台形状の折り返し閉封片の縁部と正面にまたがる位置に切手を貼付することができる。
【考案を実施するための最良の形態】
【００１０】
以下本考案の実施の一形態を図１ないし図３を参照して詳細に説明する。図１は封筒１の正面２を示すもので、裁断した紙３を折り曲げて、底部と側面を貼り合わせて上部を開口した袋状に形成し、この封筒１の上部開口部５の裏面４を延出して、図２に示すように台形状の折り返し閉封片６が形成されている。この折り返し閉封片６には郵便番号記載枠７が印刷されている。封筒１の正面２はあて先記載部９となり、裏面４の下部左側は差出人記載部１０となっている。
【００１１】
上記構成の封筒１を使用する場合、手紙を書いてから、図３に示すように封筒１の正面２のあて先記載部９に住所とあて名を記載し、裏面４の差出人記載部１０に住所と差出人名を記載する。次に手紙を上部開口部５から挿入して、裏面４の折り返し閉封片６を手前に折り曲げて、郵便番号記載枠７に郵便番号を記入する。この後、折り返し閉封片６の裏面に糊を付けて正面２に接着する。次に切手１１を台形状の折り返し閉封片６の縁部と正面２にまたがるように貼付する。このようにして郵便ポストに投函すると、郵便局で切手１１と正面２にまたがって日付印１２が押印されてあて先に配達される。
【００１２】
従って上記構成の封筒１によれば、折り返し閉封片６が正面２にくるので、糊の付け忘れを防止できる。また糊付が不十分であっても切手１１を折り返し閉封片６の縁部と正面２にまたがるように貼付してあるので、封緘シールの役割も果たすので確実に閉封することができる。また他人が秘密に開封しようとすると、封緘シールとしての役割をなす切手１１を破かないように剥がさなければならず、また再度、閉封する場合には日付印１２を合わせて接着しなければならず、開封した証拠が残るので、開封の防止に効果的である。
【００１３】
図４は本考案の他の実施の形態を示すもので、台形状の折り返し閉封片６を正面２に折り返した時に、この縁部と正面２にまたがるように四角形の切手貼付枠１３を印刷したものである。
【００１４】
この封筒１では、折り返し閉封片６を正面２に折り返した時に、四角形の切手貼付枠１３が形成されるので、初めて使用する人でも、ここに切手１１を貼付すれば確実に折り返し閉封片６の縁部と正面２にまたがる位置に切手１１を貼付することができる。
【００１５】
図５は本考案の異なる他の実施の形態を示すもので、現金書留封筒１５に適用したものである。これは封筒１５の上部開口部５の裏面４を延出して、台形状の折り返し閉封片６が形成され、この折り返し閉封片６には郵便番号記載枠７が印刷されている。この封筒１５の折り返し閉封片６を正面２側に折り返して糊付けし、切手１１を台形状の折り返し閉封片６の縁部と正面２にまたがるように貼付するようになっている。この構造では切手１１が封緘シールとしての役割をなしているので、他人が秘密に開封して現金だけを抜き取るのを防止するのに効果的である。
【００１６】
図６は本考案の異なる他の実施の形態を示すもので、外国郵便封筒１６に適用した場合を示す。これは図６（Ａ）に示すように封筒１６の右端を開口した袋状に形成し、この封筒１６の側面開口部１７の裏面４を延出して、図６（Ｂ）に示すように折り返し閉封片６が形成されている。この外国郵便封筒１６も手紙を入れてから図６（Ｃ）に示すように折り返し閉封片６を正面２側に折り返して糊付けし、この縁に切手１１を貼付するようにしたものである。この構造では切手１１が封緘シールとしての役割をなしているので、特に治安の悪い外国に送付する時に、他人が秘密に開封して内部のものを抜き取るのを防止するのに効果的である。
【図面の簡単な説明】
【００１７】
【図１】本考案の実施の一形態による封筒の正面図ある。
【図２】図１の封筒を示す裏面図である。
【図３】図１の封筒を閉封した状態を示す正面図である。
【図４】本考案の他の実施の形態による切手貼付枠を印刷した封筒の正面図である。
【図５】本考案の異なる他の実施の形態による現金書留封筒の正面図である。
【図６】（Ａ）は本考案の異なる他の実施の形態による外国郵便封筒の正面図、（Ｂ）はその裏面図、（Ｃ）は封筒を閉封した状態を示す正面図である。
【符号の説明】
【００１８】
１    封筒                                                  
２    正面                                                  
３    紙                                                    
４    裏面                                                  
５    上部開口部                                            
６    折り返し閉封片                                        
７    郵便番号記載枠                                        
８    あて先記載部                                          
９    差出人記載部                                          
１１  切手                                                  
１２  日付印                                                
１３  切手貼付枠                                            
１５  現金書留封筒                                          
１６  外国郵便封筒                                          
１７  側面開口部  
【図１】
0003123999.tif 000003
【図２】
0003123999.tif 000004
【図３】
0003123999.tif 000005
【図４】
0003123999.tif 000006
【図５】
0003123999.tif 000007
【図６】
0003123999.tif 000008